(57)【要約】  風力発電装置が、複数のモジュールを備えるナセルと、複数のモジュールのうちの第１モジュールに搭載された制御装置と、複数のモジュールのうちの第２モジュールに搭載された第１機器とを具備する。制御装置と第１機器とは、機器側接続機構と制御装置側接続機構とによって制御装置と電気通信可能に接続される。機器側接続機構は、第１接続要素と、一端が制御装置に接続され、他端が第１接続要素に接続された複数の信号線を含む第１多芯ケーブルとを含む。機器側接続機構は、第１接続要素と第１機器とを電気的に接続する。
2011114445.tif 000002
【特許請求の範囲】
【請求項１】
複数のモジュールを備えるナセルと、
前記複数のモジュールのうちの第１モジュールに搭載された制御装置と、
前記複数のモジュールのうちの第２モジュールに搭載された第１機器
とを具備し、
前記制御装置と前記第１機器とは、機器側接続機構と制御装置側接続機構とによって前記制御装置と電気通信可能に接続され、
前記機器側接続機構は、
第１接続要素と、
一端が前記制御装置に接続され、他端が前記第１接続要素に接続された複数の信号線を含む第１多芯ケーブル
とを含み、
前記機器側接続機構は、前記第１接続要素と前記第１機器とを電気的に接続する
風力発電装置。
【請求項２】
請求項１に記載の風力発電装置であって、
前記機器側接続機構は、
第２接続要素と、
一端が前記第２接続要素に接続され、他端が前記第１機器に接続された複数の信号線を含む第２多芯ケーブル
とを含む
風力発電装置。
【請求項３】
請求項２に記載の風力発電装置であって、
前記複数のモジュールのうち前記第１モジュールでないモジュールに搭載された第２機器を更に備え、
前記制御装置と前記第２機器とは、第３接続要素と、一端が前記制御装置に接続され、他端が前記第３接続要素に接続された複数の信号線を含む第３多芯ケーブルと、第３接続要素に接続される第４接続要素と、一端が前記第２機器に接続され、他端が前記第４接続要素に接続された複数の信号線を含む第４多芯ケーブルによって電気的に接続され、
前記第３接続要素は、物理的に、前記第２接続要素に接続不能であるように構成され、
前記第４接続要素は、物理的に、前記第１接続要素に接続不能であるように構成された
風力発電装置。
【請求項４】
請求項１に記載の風力発電装置であって、
前記機器側接続機構は、
前記第１接続要素に接続されるレセプタクルを備える信号中継盤と、
一端が前記信号中継盤に接続され、他端が前記第１機器に接続された複数の信号線
とを含む
風力発電装置。
【請求項５】
請求項４に記載の風力発電装置であって、
前記第１機器は、複数のセンサを含み、
前記機器側接続機構の前記複数の信号線は、前記複数のセンサにそれぞれに接続される複数の接地線を含み、
前記複数の接地線は、前記信号中継盤により接地に共通に接続される
風力発電装置。
【請求項６】
請求項４に記載の風力発電装置であって、
前記第１多芯ケーブルの前記複数の信号線は、第１電源線を含み、
前記第１機器は、複数のセンサを含み、
前記機器側接続機構の前記複数の信号線は、前記複数のセンサにそれぞれに接続される複数の第２電源線を含み、
前記複数の第２電源線は、前記信号中継盤により前記第１電源線に共通に接続される
風力発電装置。
【発明の詳細な説明】
【技術分野】
【０００１】
本発明は、風力発電装置に関し、特に、風力発電装置のナセル内の信号線の配線に関する。
【背景技術】
【０００２】
風力発電装置は、多くの電気／電子装置及び機械装置の集合体であり、それらが協調して動作することによって、効率的な発電を実現している。例えば、ロータヘッドの中にはピッチ制御システムが設けられ、ナセルの中には、増速機や、発電機や、電力変換装置や、ヨー制御システムや、その他の補助的システム（油圧システム、潤滑油潤滑システム等）が設けられる。そして、これらの装置は、制御装置（典型的には、ナセル内に設けられるナセル制御盤）によって制御される。制御装置は、風力発電装置の各部に設けられた測定機器やセンサによって各装置の状態や風況を検知し、検知した状態や風況に応じて風力発電装置を構成する電気／電子装置及び機械装置を最適に制御する。【０００３】
多くの電気／電子装置及び機械装置が協調して動作する風力発電装置には、多くの信号線が電気的信号を伝えるために使用される。風力発電装置の各装置には、それを制御するための制御信号を供給する信号線を接続する必要がある。また、各測定機器・センサには、検知信号を制御装置に伝送するための信号線を接続する必要がある。このため、風力発電装置のナセル内には、多くの信号線が配線される。関連して、米国特許出願公開ＵＳ２００８／０２９３２６０  Ａ１は、風力発電装置において大電流を流すためのコネクタ構造を開示している。また、米国特許第５，３６５，４２４号は、風力発電装置において大電力を伝送するためのバス構造を開示している。【０００４】
一つの問題は、ナセル内の信号線の配線の困難性である。信号線の数が増大すると、信号線の配線に長時間が必要になり、また、配線ミスの発生も増加する。このような背景から、風力発電装置のナセル内において多くの信号線を簡便に配線することを可能にするための技術の提供のニーズがある。
【先行技術文献】
【特許文献】
【０００５】
【特許文献１】米国特許出願公開ＵＳ２００８／０２９３２６０Ａ１
【特許文献２】米国特許第５，３６５，４２４号
【発明の概要】
【０００６】
したがって、本発明の目的は、風力発電装置のナセル内において多くの信号線を簡便に配線することを可能にするための技術を提供することにある。
【０００７】
本発明の一の観点では、風力発電装置が、複数のモジュールを備えるナセルと、複数のモジュールのうちの第１モジュールに搭載された制御装置と、複数のモジュールのうちの第２モジュールに搭載された第１機器とを具備する。制御装置と第１機器とは、機器側接続機構と制御装置側接続機構とによって制御装置と電気通信可能に接続される。機器側接続機構は、第１接続要素と、一端が制御装置に接続され、他端が第１接続要素に接続された複数の信号線を含む第１多芯ケーブルとを含む。機器側接続機構は、第１接続要素と第１機器とを電気的に接続する。
【０００８】
一実施形態では、機器側接続機構は、第２接続要素と、一端が第２接続要素に接続され、他端が第１機器に接続された複数の信号線を含む第２多芯ケーブルとを含む。
【０００９】
当該風力発電装置が、更に、複数のモジュールのうち第１モジュールでないモジュールに搭載された第２機器を備え、制御装置と第２機器とが、第３接続要素と、一端が制御装置に接続され、他端が第３接続要素に接続された複数の信号線を含む第３多芯ケーブルと、第３接続要素に接続される第４接続要素と、一端が第２機器に接続され、他端が第４接続要素に接続された複数の信号線を含む第４多芯ケーブルとを備える場合がある。この場合、第３接続要素が、物理的に、第２接続要素に接続不能であるように構成され、第４接続要素が、物理的に、第１接続要素に接続不能であるように構成されることが好ましい。
【００１０】
機器側接続機構は、第１接続要素に接続されるレセプタクルを備える信号中継盤と、一端が信号中継盤に接続され、他端が第１機器に接続された複数の信号線
とを含んでいてもよい。
【００１１】
第１機器が、複数のセンサを含む場合、機器側接続機構の複数の信号線は、複数のセンサにそれぞれに接続される複数の接地線を含み、且つ、複数の接地線は、信号中継盤により接地に共通に接続されることが好ましい。
【００１２】
また、第１多芯ケーブルの複数の信号線が第１電源線を含み、第１機器が複数のセンサを含む場合、機器側接続機構の複数の信号線は、複数のセンサにそれぞれに接続される複数の第２電源線を含み、複数の第２電源線は、信号中継盤により第１電源線に共通に接続されることが好ましい。
【００１３】
一実施形態では、第２モジュールは、風車ロータに接続される増速機を搭載する前部モジュールであり、第１モジュールは、増速機に接続される発電機を搭載する後部モジュールである。この場合、複数のモジュールがナセルを方位角方向に旋回するヨー旋回システムの少なくとも一部を含む旋回モジュールを更に備え、旋回モジュールが当該風力発電装置のタワーの上に搭載され、前部モジュールと後部モジュールは、旋回モジュールの上に搭載されることが好ましい。
【００１４】
本発明によれば、風力発電装置のナセル内において多くの信号線を簡便に配線することができる。
【図面の簡単な説明】
【００１５】
【図１】本発明の一実施形態における風力発電装置の構造を示す側面図である。
【図２】一実施形態におけるナセルの内部構造を示す斜視図である。
【図３Ａ】一実施形態におけるナセルの内部におけるケーブル配線を示すブロック図である。
【図３Ｂ】一実施形態におけるナセルの内部におけるケーブル配線を示すブロック図である。
【図４】一実施形態におけるナセルの内部におけるケーブル配線の詳細を示すブロック図である。
【図５】一実施形態における好適な信号中継盤の構造を示す概念図である。
【図６Ａ】一実施形態におけるコネクタのジャックの構造を示す図である。
【図６Ｂ】一実施形態におけるコネクタのプラグの構造を示す図である。
【図６Ｃ】一実施形態におけるコネクタのジャックの構造を示す図である。
【図６Ｄ】一実施形態におけるコネクタのプラグの構造を示す図である。
【発明を実施するための形態】
【００１６】
図１は、本発明の一実施形態における風力発電装置１の構造を示す側面図である。風力発電装置１は、基礎６に立設されるタワー２と、タワー２の上端に設置されるナセル３と、ナセル３に対して回転可能に取り付けられたロータヘッド４と、ロータヘッド４に取り付けられる風車翼５とを備えている。ロータヘッド４と風車翼５とにより、風車ロータが構成されている。風力によって風車ロータが回転すると風力発電装置１は電力を発生し、風力発電装置１に接続された電力系統に電力を供給する。
【００１７】
本実施形態では、ナセル３は、３つのモジュール：前部モジュール７、後部モジュール８、及び旋回モジュール９から構成されている。旋回モジュール９は、タワー２の上に搭載され、前部モジュール７、後部モジュール８は、旋回モジュール９の上に搭載される。前部モジュール７はロータヘッド４に隣接して位置しており、後部モジュール８はロータヘッド４から離れて位置している。ナセル３が複数のモジュールに分割されていることは、風力発電装置１の建設現場にナセル３を輸送することを容易化するために有効である。
【００１８】
図２は、一実施形態におけるナセル３の内部構造を示す鳥瞰図であり、図３Ａ、図３Ｂは、ナセル３におけるケーブル配線（cable routing）を示すブロック図である。ここで、図３Ａは、前部モジュール７及び後部モジュール８におけるケーブル配線を図示しており、図３Ｂは、旋回モジュール９におけるケーブル配線を図示している。
【００１９】
前部モジュール７には増速機１１と増速機補機２１とが搭載されている。後部モジュール８には、発電機１２、昇圧変圧器１３、電力盤１４と、ナセル制御盤１５と、発電機補機２２とが搭載されている。旋回モジュール９には筒体１０が設けられている。旋回モジュール９には、筒体１０の外側にヨーモータ２３と潤滑システム補機２４とが設けられ、筒体１０の内側に油圧システム補機２５が設けられる。
【００２０】
以上の各機器について簡単に説明する。増速機１１は、ロータヘッド４の回転を増速して発電機１２のロータを高速に回転させる。増速機補機２１は、増速機２１の動作を補助する周辺機器であり、例えば、増速機１１に潤滑油を供給する供給システムを含んでいる。発電機１２は、風車ロータ及び増速機１１によって駆動されて電力を発生する。発電機補機２２は、発電機２２の動作を補助する周辺機器である。昇圧変圧器１３は、発電機１２が発生した電力の電圧を、電力系統の電圧（系統電圧）に応じて昇圧する。電力盤１４は、発電機１２と電力系統との間の電力の遣り取りを監視する。ナセル制御盤１５は、ナセルに設けられる各機器を統括的に制御する制御装置である。ヨーモータ２３は、ナセル３を方位角方向に旋回する駆動装置であり、ヨー旋回システムの一部を構成している。潤滑システム補機２４は、ロータヘッド４に接続された主軸（図示されない）を回転可能に支持する主軸受（図示されない）に潤滑油を供給する潤滑システムの機器である。油圧システム補機２５は、風車翼５のピッチ角を制御するピッチ制御機構に作動油を供給する油圧システムの機器である。
【００２１】
ナセル３の各機器には、その状態を測定するためのセンサが取り付けられる。本実施形態では、発電機１２にセンサ群２６が取り付けられ、増速機１１にセンサ群２７、２８が取り付けられる。更に、油圧システム補機２５にセンサ群２９が取り付けられ、潤滑システム補機２４にセンサ群３０が取り付けられる。
【００２２】
本実施形態の風力発電装置１では、概略的には、下記のように信号線が配線される。ナセル制御盤１５が設けられる後部モジュール８に搭載された機器及びセンサについては、機器及びセンサに取り付けられた多芯ケーブルが、プラグを用いてナセル制御盤１５に設けられた端子台に直接に取り付けられる。多芯ケーブルには複数の信号線が通されている。一の多芯ケーブルをナセル制御盤１５に接続することにより、複数の信号線を同時にナセル制御盤１５に接続することができる。
【００２３】
一方、後部モジュール８以外のモジュールに搭載された機器及びセンサについては、多芯ケーブルに加えてコネクタ又は信号中継盤を用いて信号線を配線する。具体的には、後部モジュール８以外のモジュールに搭載された装置については、装置に接続された多芯ケーブルとナセル制御盤１５に接続された多芯ケーブルとをコネクタによって接続することにより、所望の数の信号線が配線される。一方、後部モジュール８以外のモジュールに搭載されたセンサについては、各モジュールに設けられた信号中継盤にセンサの信号線を接続し、その信号中継盤を多芯ケーブルによってナセル制御盤１５に接続することで所望の数の信号線が配線される。いずれにおいても、多芯ケーブルを使用することにより、複数の信号線を同時にナセル制御盤１５に接続することができる。以下では、ナセル３の内部におけるケーブル配線について、より具体的に説明する。
【００２４】
図３Ａを参照して、後部モジュール８に設けられた発電機補機２２は、多芯ケーブル６１によってナセル制御盤１５に接続される。詳細には、図４に図示されているように、多芯ケーブル６１の一端が発電機補機２２に接続され、他端がプラグ６３に接続され、プラグ６３がナセル制御盤１５の端子台１５ａに接続される。一方、図３Ａを再度に参照して、発電機１２に設けられたセンサ群２６は、多芯ケーブル６２によってナセル制御盤１５に接続される。詳細には、図４に図示されているように、多芯ケーブル６２の一端がセンサ群２６に接続され、他端がプラグ６７に接続され、プラグ６７がナセル制御盤１５の端子台１５ｂに接続される。
【００２５】
一方、図３Ａを参照して、前部モジュール７に設けられた増速機補機２１は、多芯ケーブル３１、３２とコネクタ３３によってナセル制御盤１５に接続される。詳細には、前部モジュール７において多芯ケーブル３１が増速機補機２１に接続され、後部モジュール８において多芯ケーブル３２がナセル制御盤１５に接続され、多芯ケーブル３１、３２がコネクタ３３によって接続される。図４に示されているように、コネクタ３３は、多芯ケーブル３１に接続されたジャック３３ａと多芯ケーブル３２に接続されるプラグ３３ｂとを備えており、ジャック３３ａとプラグ３３ｂとを接続することにより、多芯ケーブル３１、３２が接続される。なお、本明細書において、コネクタの「プラグ」と「ジャック」という用語は、コネクタ３３を構成する２部品を識別する意味しかもたない。多芯ケーブル３１にジャックが接続され、多芯ケーブル３２にプラグが接続されてもよいことは、自明的であろう。
【００２６】
一方、増速機１１に取り付けられたセンサ群２７、２８は、信号線束４４と、信号中継盤４１と、多芯ケーブル４６とによってナセル制御盤１５に接続される（図３Ａ参照）。図４には、センサ群２７とナセル制御盤１５の間のケーブル配線が概念的に図示されている。なお、図４では、センサ群２７が３つのセンサ２７ａ、２７ｂ、２７ｃを含んでいるが、センサ群２７のセンサの数は３に限定されない。信号中継盤４１は、前部モジュール７に設けられており、レセプタクル４１ａと端子台４１ｂとを備えている。一方、信号線束４４は、それぞれ、センサ２７ａ、２７ｂ、２７ｃに接続された信号線を備えている。信号線束４４の信号線は、端子台４１ｂに設けられた端子にそれぞれに接続されている。加えて、信号線束４４は、センサ２７ａ、２７ｂ、２７ｃにそれぞれに接続された接地線４４ａ、４４ｂ、４４ｃを備えている。接地線４４ａ、４４ｂ、４４ｃは、信号中継盤４１の筐体、即ち、接地に共通に接続されている。信号線束４４の他の線は、端子台４１ｂを介してレセプタクル４１ａに接続されている。多芯ケーブル４６の一端はプラグ４７に接続され、他端はプラグ６５に接続されている。プラグ４７がレセプタクル４１ａに接続され、プラグ６５がナセル制御盤１５の端子台１５ｂに接続され、これにより、センサ群２７がナセル制御盤１５に電気的に接続される。ここで、プラグ４７は、多芯ケーブル４６を通る信号線のうちの接地線を信号中継盤４１の筐体に接続するように構成される。多芯ケーブル４６の接地線を設置に接続することができる。図４には図示されていないが、センサ群２８も、同様にして多芯ケーブル４６を介してナセル制御盤１５に接続される。図３Ａでは、センサ群２８と信号中継盤４１とを接続する信号線束４４に中継箱４５が挿入されているが、中継箱４５の存在は、本質的には重要でない。
【００２７】
ここで、図５に図示されているように、多芯ケーブル４６の電源線（電源電圧が供給される線）もセンサ２７ａ、２７ｂ、２７ｃによって共有化されてもよい。具体的には、信号線束４４は、センサ２７ａ、２７ｂ、２７ｃにそれぞれに接続された電源線４４ｄ、４４ｅ、４４ｆを備えている。一方、多芯ケーブル４６の電源線に接続された電源線４６ａがレセプタクル４１ａから端子台４１ｂに引き出され、その電源線４６ａに、センサ２７ａ、２７ｂ、２７ｃにそれぞれに接続された電源線４４ｄ、４４ｅ、４４ｆが共通に接続される。このような構成によれば、多芯ケーブル４６に含まれるラインの数を低減させることができる。
【００２８】
また、旋回モジュール９の筒体１０の内側に設けられた油圧システム補機２５は、多芯ケーブル３４、３５とコネクタ３６によってナセル制御盤１５に接続される（図３Ａ及び図３Ｂを参照）。ここで、多芯ケーブル３４は、旋回モジュール９と前部モジュール７に通されており、多芯ケーブル３５は、後部モジュール８に設けられてナセル制御盤１５に接続されている。多芯ケーブル３４、３５がコネクタ３６によって接続される。
【００２９】
同様に、旋回モジュール９の筒体１０の外側に設けられたヨーモータ２３は、多芯ケーブル３７、３８によってナセル制御盤１５に接続される。詳細には、旋回モジュール９において多芯ケーブル３７がヨーモータ２３に接続され、後部モジュール８において多芯ケーブル３８がナセル制御盤１５に接続され、多芯ケーブル３７、３８がコネクタ３９によって接続される。図３Ｂでは、コネクタ３９が旋回モジュール９の内部に位置しているが、コネクタ３９は、後部モジュール８に位置していてもよい。
【００３０】
更に、旋回モジュール９の筒体１０の内側に設けられたセンサ群２９は、信号線束４８と、信号中継盤４２と、多芯ケーブル４９とによってナセル制御盤１５に接続される。旋回モジュール９において信号線束４８が信号中継盤４２に接続される。ここで、信号線束４８のうちの接地線は信号中継盤４２の筐体、即ち、接地に接続され、他の線は信号中継盤４２のレセプタクルに電気的に接続される。多芯ケーブル４９は、一端にプラグ５０が設けられており、そのプラグ５０が信号中継盤４２のレセプタクルに接続される。多芯ケーブル４９の他端はナセル制御盤１５に接続される。これにより、センサ群２９がナセル制御盤１５に電気的に接続される。
【００３１】
同様に、旋回モジュール９の筒体１０の外側に設けられたセンサ群３０は、信号線束５１と、信号中継盤４３と、多芯ケーブル５２とによってナセル制御盤１５に接続される。旋回モジュール９において信号線束５１が信号中継盤４３に接続される。ここで、信号線束５１のうちの接地線は信号中継盤４３の筐体、即ち、接地に接続され、他の線は信号中継盤４３のレセプタクルに電気的に接続される。多芯ケーブル５２は、一端にプラグ５３が設けられており、そのプラグ５３が信号中継盤４３のレセプタクルに接続される。多芯ケーブル５２の他端はナセル制御盤１５に接続される。これにより、センサ群３０がナセル制御盤１５に電気的に接続される。
【００３２】
このようなケーブル配線の利点は、風力発電装置１の建設現場において、信号線を配線する労力を大幅に減少できることである。即ち、前部モジュール７、後部モジュール８、旋回モジュール９を製造する工場においては、以下にあげる接続以外の接続を行っておく：
（１）コネクタ３３による多芯ケーブル３１、３２の接続
（２）多芯ケーブル４６のプラグ４７の信号中継盤４１への接続
（３）コネクタ３６による多芯ケーブル３４、３５の接続
（４）多芯ケーブル４９のプラグ５０の信号中継盤４２への接続
（５）コネクタ３９による多芯ケーブル３７、３８の接続
（６）多芯ケーブル５１のプラグ５３の信号中継盤４３への接続
【００３３】
この状態で、前部モジュール７、後部モジュール８及び旋回モジュール９が風力発電装置１の建設現場に輸送される。前部モジュール７、後部モジュール８及び旋回モジュール９が連結されてタワー２の上にナセル３が組み立てられた後、上記（１）〜（６）の接続が行われる。このような手順によれば、風力発電装置１の建設現場において、簡便にケーブル配線を行うことができる。
【００３４】
ケーブル配線に必要な労力が少ないことは、配線ミスの防止にもつながる。ここで、配線ミスを一層効果的に防止するためには、コネクタ３３、３６、３９及びプラグ４７、５０、５３が、物理的に配線ミスの発生を防ぐように構成されていることが好ましい。即ち、風力発電装置１で使用されるプラグ、ジャック、レセプタクルを正しい組み合わせでしか物理的に接続できないように構成すれば、配線ミスをより有効に防ぐことができる。
【００３５】
図６Ａ〜図６Ｄは、配線ミスを防ぐためのコネクタ３３、３６の構成の例を示している。ここで、図６Ａ、図６Ｂは、それぞれ、コネクタ３３のジャック３３ａ、プラグ３３ｂの構造を示しており、図６Ｃ、図６Ｄは、それぞれ、コネクタ３６のジャック３６ａ、プラグ３６ｂの構造を示している。図６Ａに図示されているように、ジャック３３ａは、ジャックケーシング７４と、ソケットインサート７５とを備えている。一方、図６Ｂに図示されているように、プラグ３３ｂは、プラグケーシング７１と、プラグインサート７２と、ピン７３とを備えている。プラグインサート７２の外周面には、複数の突起が設けられている。ジャック３３ａのジャックケーシング７４とソケットインサート７５の間には、プラグインサート７２を受け入れるための溝７６が設けられている。溝７６は、プラグインサート７２の形状に対応した形状を有している。更に、ソケットインサート７５には、ピン７３を受け入れるためのピン穴７７が設けられている。図６Ａ、図６Ｂにおいて、符号Ｐ１、Ｐ２は、ピン７３、ピン穴７７の位置を説明するために使用される仮想的な基準面を示している。
【００３６】
図６Ｃ、図６Ｄを参照して、コネクタ３６のジャック３６ａ、プラグ３６ｂは、コネクタ３３のジャック３３ａ、プラグ３３ｂと類似した形状を有している。具体的には、図６Ｃに図示されているように、ジャック３６ａは、ジャックケーシング８４と、ソケットインサート８５とを備えている。一方、図６Ｄに図示されているように、プラグ３６ｂは、プラグケーシング８１と、プラグインサート８２と、ピン８３とを備えている。プラグインサート８２の外周面には、複数の突起が設けられている。ジャック３６ａのジャックケーシング８４とソケットインサート８５の間には、プラグインサート８２を受け入れるための溝８６が設けられている。溝８６は、プラグインサート８２の形状に対応した形状を有している。更に、ソケットインサート８５には、ピン８３を受け入れるためのピン穴８８が設けられている。図６Ｃ、図６Ｂにおいて、符号Ｐ１、Ｐ２は、ピン８３、ピン穴８７の位置を説明するために使用される仮想的な基準面を示している。
【００３７】
ここで、プラグインサート７２、８２の外周面に設けられた突起が基準面Ｐ１、Ｐ２に対して同一位置にあるのに対し、基準面Ｐ１、Ｐ２を基準としたときのピン８３、ピン穴８７の位置はピン７３、ピン穴７７の位置と異なっている。このようなコネクタ３３、３６の構造によれば、コネクタ３３、３６のプラグとジャックとは、正しい組み合わせでしか接続できない。他のプラグ、ジャック、レセプタクルについても同様の手法により、正しい組み合わせでしか接続できないようにすることができる。これは、風力発電装置１における配線ミスを防ぐために好適である。
【図１】
2011114445.tif 000003
【図２】
2011114445.tif 000004
【図３Ａ】
2011114445.tif 000005
【図３Ｂ】
2011114445.tif 000006
【図４】
2011114445.tif 000007
【図５】
2011114445.tif 000008
【図６Ａ】
2011114445.tif 000009
【図６Ｂ】
2011114445.tif 000010
【図６Ｃ】
2011114445.tif 000011
【図６Ｄ】
2011114445.tif 000012
【手続補正書】
【提出日】平成22年11月12日(2010.11.12)
【手続補正１】
【補正対象書類名】特許請求の範囲
【補正対象項目名】請求項１
【補正方法】変更
【補正の内容】
【請求項１】
複数のモジュールを備えるナセルと、
前記複数のモジュールのうちの第１モジュールに搭載された制御装置と、
前記複数のモジュールのうちの第２モジュールに搭載された第１機器
とを具備し、
前記制御装置と前記第１機器とは、機器側接続機構と制御装置側接続機構とによって前記制御装置と電気通信可能に接続され、
前記制御装置側接続機構は、
第１接続要素と、
一端が前記制御装置に接続され、他端が前記第１接続要素に接続された複数の信号線を含む第１多芯ケーブル
とを含み、
前記機器側接続機構は、前記第１接続要素と前記第１機器とを電気的に接続する
風力発電装置。
【手続補正２】
【補正対象書類名】明細書
【補正対象項目名】０００７
【補正方法】変更
【補正の内容】
【０００７】
本発明の一の観点では、風力発電装置が、複数のモジュールを備えるナセルと、複数のモジュールのうちの第１モジュールに搭載された制御装置と、複数のモジュールのうちの第２モジュールに搭載された第１機器とを具備する。制御装置と第１機器とは、機器側接続機構と制御装置側接続機構とによって制御装置と電気通信可能に接続される。制御装置側接続機構は、第１接続要素と、一端が制御装置に接続され、他端が第１接続要素に接続された複数の信号線を含む第１多芯ケーブルとを含む。機器側接続機構は、第１接続要素と第１機器とを電気的に接続する。
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
（ａ）工場において複数のモジュールを製造する工程と、
（ｂ）前記複数のモジュールを前記工場から風力発電装置の建設現場に輸送する工程と、
（ｃ）前記建設現場において前記複数のモジュールを連結して前記風力発電装置のナセルを組み立てる工程
とを具備し、
前記（ａ）工程は、
前記複数のモジュールのうちの第１モジュールに制御装置を搭載する工程と、
前記複数のモジュールのうちの第２モジュールに第１機器を搭載する工程と、
制御装置側接続機構を前記制御装置に接続する工程と、
機器側接続機構を前記第１機器に接続する工程
とを含み、
前記制御装置側接続機構は、
第１接続要素と、
一端が前記制御装置に接続され、他端が前記第１接続要素に接続された複数の信号線を含む第１多芯ケーブル
とを含み、
前記（ｃ）工程は、前記建設現場において前記第１接続要素と前記機器側接続機構とを接続することによって、前記制御装置と前記第１機器とを電気通信可能に接続する工程を含む
風力発電装置のナセルの組み立て方法。
【請求項２】
請求項１に記載の風力発電装置のナセルの組み立て方法であって、
前記機器側接続機構は、
第２接続要素と、
一端が前記第２接続要素に接続され、他端が前記第１機器に接続された複数の信号線を含む第２多芯ケーブル
とを含み、
前記機器側接続機構と前記制御装置側接続機構との接続は、前記第１接続要素と前記第２接続要素とを連結することで行われる
風力発電装置のナセルの組み立て方法。
【請求項３】
請求項２に記載の風力発電装置のナセルの組み立て方法であって、
前記複数のモジュールのうち前記第１モジュールでないモジュールに搭載された第２機器を更に備え、
前記制御装置と前記第２機器とは、第３接続要素と、一端が前記制御装置に接続され、他端が前記第３接続要素に接続された複数の信号線を含む第３多芯ケーブルと、第３接続要素に接続される第４接続要素と、一端が前記第２機器に接続され、他端が前記第４接続要素に接続された複数の信号線を含む第４多芯ケーブルによって電気的に接続され、
前記第３接続要素は、物理的に、前記第２接続要素に接続不能であるように構成され、
前記第４接続要素は、物理的に、前記第１接続要素に接続不能であるように構成された
風力発電装置のナセルの組み立て方法。
【請求項４】
請求項１に記載の風力発電装置のナセルの組み立て方法であって、
前記機器側接続機構は、
レセプタクルを備える信号中継盤と、
一端が前記信号中継盤に接続され、他端が前記第１機器に接続された複数の信号線
とを含み、
前記機器側接続機構と前記制御装置側接続機構との接続は、前記レセプタクルと前記第１接続要素とを接続することで行われる
風力発電装置のナセルの組み立て方法。
【請求項５】
請求項４に記載の風力発電装置のナセルの組み立て方法であって、
前記第１機器は、複数のセンサを含み、
前記機器側接続機構の前記複数の信号線は、前記複数のセンサにそれぞれに接続される複数の接地線を含み、
前記複数の接地線は、前記信号中継盤により接地に共通に接続される
風力発電装置のナセルの組み立て方法。
【請求項６】
請求項４に記載の風力発電装置のナセルの組み立て方法であって、
前記第１多芯ケーブルの前記複数の信号線は、第１電源線を含み、
前記第１機器は、複数のセンサを含み、
前記機器側接続機構の前記複数の信号線は、前記複数のセンサにそれぞれに接続される複数の第２電源線を含み、
前記複数の第２電源線は、前記信号中継盤により前記第１電源線に共通に接続される
風力発電装置のナセルの組み立て方法。
【国際調査報告】
2011114445.tif 000013
2011114445.tif 000014
2011114445.tif 000015
2011114445.tif 000016